(57)【要約】  着用者の眼の正面の遮蔽位置に、少なくとも１つの実質的に透明なレンズを保持するフレームを使用者が着用し、プロセッサは、音声信号を受信し、かつ着信した音声信号を、音声信号を着用者に通信する少なくとも１つのイヤホーンに、無線的に送信する。送信用マイクロフォンは、着用者からの送信用音声信号を受け取り、これをプロセッサに送信し、プロセッサは、この送信用信号を、遠隔の受信者に送信する。マイクロフォンは、音声信号を拾い上げ、及びこの信号をプロセッサに送信する。このプロセッサは、音声信号に基づいて、着信した音声信号、及び／又は送信用音声信号を増強するようになっている。またこのプロセッサは、環境音声信号の音声成分を、イヤホーンに送信するようにもなっている。カメラは、送信用視覚信号を受け、かつこの信号をプロセッサに送信し、このプロセッサは、この信号を遠隔の受信者に送信し、プロセッサにより受信された視覚信号は、着用者に見えるように送られる。【選択図】図１
2013522953.tif 000002
【特許請求の範囲】
【請求項１】
フレームと、このフレームに取付けられた少なくとも１つの実質的に透明なレンズとを備え、
前記フレームは、着用者の眼を遮蔽する正面に位置する少なくとも１つのレンズを保持しうるようになっており、
前記フレームに連結され、着信する音声信号を受信するようになっているプロセッサーと、
前記プロセッサーと無線通信するようになっており、かつ着用者の１つの耳に保持しうるようになっている少なくとも１つのイヤホーンとを備え、
前記プロセッサーは、着信する音声信号を、前記少なくとも１つのイヤホーンに送信するようになっており、
前記少なくとも１つのイヤホーンは、前記着信した音声信号を、音声により着信音に送るように構成され、かつ配置されているスピーカー組立品を備え、かつ
送信用音声信号を着用者から拾い上げるべく、配置され、かつ構成され、さらに前記プロセッサに前記送信用音声信号を送信するようになっている、送信用マイクロフォン組立品を備え、
前記プロセッサは、前記送信用信号を送信するように構成され、かつ配置されており、
周囲の環境音声信号を拾い上げ、この音声信号を前記プロセッサに送信するように配置され、かつ構成されている環境マイクロフォン組立品
とを含む通信用眼鏡。
【請求項２】
前記プロセッサは前記環境音声信号に基づいて、前記着信する音声信号を増強するようになっている、請求項１に記載の通信用眼鏡。
【請求項３】
前記プロセッサは、前記着信した音声信号の音量を、前記環境音声信号の音量に対応して調整するように構成されている、請求項２に記載の通信用眼鏡。
【請求項４】
前記プロセッサは、前記環境音声信号に基づいて、前記送信用音声信号を受けるように構成されている、請求項１に記載の通信用眼鏡。
【請求項５】
前記プロセッサは、前記環境音声信号に比較して、前記送信用音声信号を強化するように構成されている請求項４に記載の通信用眼鏡。
【請求項６】
前記環境マイクロフォン組立品は、前記少なくとも１つのイヤホーンに連結されている、請求項１に記載の通信用眼鏡。
【請求項７】
前記環境マイクロフォン組立品は、前記フレーム組立品に連結されている、請求項１に記載の通信用眼鏡。
【請求項８】
前記少なくとも１つのイヤホーンが、環境雑音を実質的に消音するように構成されている、請求項１に記載の通信用眼鏡。
【請求項９】
環境雑音を実質的に消音するように、前記少なくとも１つのイヤホーンの少なくとも一部分を、着用者の耳に挿入しうるようになっている、請求項８に記載の通信用眼鏡。
【請求項１０】
前記少なくとも１つのイヤホーンは、環境雑音を実質的に消音するための、使い捨ての挿入物を含む、請求項９に記載の通信用眼鏡。
【請求項１１】
前記プロセッサは、前記環境音声信号の音声成分を同定するようになっている、請求項１に記載の通信用眼鏡。
【請求項１２】
前記プロセッサは、前記環境音声信号の音声成分を、前記少なくとも１つのイヤホーンに送信するようになっており、かつ前記スピーカー組立品は、着用者に前記音声成分を音声的に通信するように構成され、かつ配置されている、請求項１１に記載の通信用眼鏡。
【請求項１３】
送信用視覚信号を拾い上げ、かつ前記送信用視覚信号を前記プロセッサに送信するべく配置されかつ構成されているカメラを更に備え、かつ前記プロセッサは、前記送信用視覚信号を送信するように構成され、かつ配置されている、請求項１に記載の通信用眼鏡。
【請求項１４】
前記プロセッサは、着信する視覚信号を受信するべく更に構成され、かつ前記組立品は、着用者に前記着信する視覚信号を表示するように配置され、かつ構成されている表示部を更に含む、請求項１に記載の通信用眼鏡。
【請求項１５】
通信用眼鏡であって：
フレームと、
前記フレームに連結された、少なくとも１つの実質的に透明なレンズとを備え、
前記フレームは、着用者の眼の正面の、眼をおおむね遮蔽する位置に配置された、前記少なくとも１つのレンズを保持するために、支持可能に着用者に保持されるようになっており、
前記フレーム組立品に連結された着信する音声信号を受信するように構成されかつ配置されているプロセッサ
前記プロセッサと無線通信しうるように配置されかつ構成され、さらに着用者の１つの耳に配置されるようになっている少なくとも１つのイヤホーン；
環境音声信号を拾い上げ、かつ前記環境音声信号を前記プロセッサに送信するように配置され、かつ構成されている環境マイクロフォン組立品；
前記プロセッサは、前記環境音声信号に基づいて、前記着信する音声信号を増強するようになっており、
前記プロセッサは、前記増強された着信する音声信号を、前記少なくとも１つのイヤホーンに送信するようになっており、
前記少なくとも１つのイヤホーンは、
前記増強された着信する音声信号を、着用者に音声的に通信するべく構成され、かつ配置されているスピーカー組立品、及び
着用者からの送信用音声信号を拾い上げ、かつこの音声信号を、前記プロセッサに送信するべく配置され、かつ構成されている送信用マイクロフォン組立品を備え、
前記プロセッサは、前記環境音声信号に基づいて、前記送信用音声信号を増強するようになっており、さらに
前記プロセッサは、前記増強された送信用信号を送信するように、構成され、かつ配置されている通信用眼鏡。
【請求項１６】
前記環境マイクロフォン組立品は、前記少なくとも１つのイヤホーンと連結されている、請求項１５に記載の通信用眼鏡。
【請求項１７】
前記環境マイクロフォン組立品は、前記フレームに連結されている、請求項１５に記載の通信用眼鏡。
【請求項１８】
環境雑音を実質的に消音するべく、前記少なくとも１つのイヤホーンは構成されている、請求項１５に記載の通信用眼鏡。
【請求項１９】
実質的に環境雑音を消音するべく、前記少なくとも１つのイヤホーンの少なくとも一部分が、着用者の耳に挿入しうるようになっている、請求項１８に記載の通信用眼鏡。
【請求項２０】
前記少なくとも１つのイヤホーンは、環境雑音を実質的に消音するための、使い捨ての挿入物を含んでいる、請求項１９に記載の通信用眼鏡。
【請求項２１】
前記少なくとも１つのイヤホーンは、着脱可能に前記フレーム組立品に固定しうるようになっているクリップを備えている、請求項１５に記載の通信用眼鏡。
【請求項２２】
前記少なくとも１つのイヤホーンは、少なくとも前記スピーカー組立品に電力を供給しうるように構成され、かつ配置された、充電可能なイヤホーン電力源を更に含み、かつ前記イヤホーン及び前記フレームは、前記少なくとも１つのイヤホーンを前記保存配向に配置したときに、前記充電可能なイヤホーン電力源を充電するべく協動するようになっている、請求項２１に記載の通信用眼鏡。
【請求項２３】
送信用視覚信号を拾い上げるべく、かつ前記送信用視覚信号を前記プロセッサに送信するべく構成され、かつ配置されたカメラを備え、前記プロセッサは、前記送信用視覚信号を送信するべく構成され、かつ配置されている、請求項１５に記載の通信用眼鏡。
【請求項２４】
前記プロセッサは、着信する視覚信号を受信するべく構成され、かつ配置されており、さらに前記着信する視覚信号を着用者に表示するべく構成され、かつ配置されている、表示装置を更に含む、請求項１５に記載の通信用眼鏡。
【請求項２５】
通信用眼鏡であって：
フレームと、このフレームに取付けられている少なくとも１つの実質的に透明なレンズとを備え、
前記フレームは、着用者の眼を遮蔽する正面に位置する少なくとも１つのレンズを保持しうるようになっており、
前記フレームに連結された着信する音声信号を受信するようになっているプロセッサーと、
前記プロセッサーと無線通信するようになっており、かつ着用者の１つの耳に保持されるようになっている少なくとも１つのイヤホーンとを備え、
環境音声信号を拾い上げ、並びに前記環境音声信号を前記プロセッサに送信するべく配置され、かつ構成されているイヤホーンマイクロフォン組立品とを備え、
前記プロセッサは、前記環境音声信号に基づいて、前記着信する音声信号を増強するべく更に構成され、かつ
前記プロセッサは、前記増強されて着信する音声信号を、前記少なくとも１つのイヤホーンに送信するべく更に構成され、
前記少なくとも１つのイヤホーンは、
前記増強された着信する音声信号を着用者に音声的に通信するべく構成されかつ配置されたスピーカー組立品、及び
着用者から送信用音声信号を拾い上げ、かつ前記送信用音声信号を前記プロセッサに送信するべく配置され、かつ構成された送信用マイクロフォン組立品を備え、
前記プロセッサは、前記環境音声信号に基づいて、前記送信用音声信号を増強するべく更に構成され、かつ
前記プロセッサは、前記増強された送信用信号を送信するべく、更に構成され、配置されている、通信用眼鏡。
【請求項２６】
着用者の耳のうちの第１のものに配置しうるようになっている第１のイヤホーン、及び着用者の耳のうちの第２のものに配置しうるようになっている第２のイヤホーンを含む、請求項２５に記載の通信用眼鏡。
【請求項２７】
実質的に環境雑音を消音するべく、前記少なくとも１つのイヤホーンは構成されている、請求項２５に記載の通信用眼鏡。
【請求項２８】
実質的に環境雑音を消音するために、前記少なくとも１つのイヤホーンの少なくとも一部分が、着用者の耳に挿入しうるようになっている、請求項２７に記載の通信用眼鏡。
【請求項２９】
前記少なくとも１つのイヤホーンは、環境雑音を実質的に消音するための、使い捨ての挿入物を含んでいる、請求項２８に記載の通信用眼鏡。
【請求項３０】
前記着信する音声信号の増強の選択的制御を可能とするべく構成され、かつ配置されている音声増強スイッチを更に含む、請求項２５に記載の通信用眼鏡。
【請求項３１】
前記送信用音声信号の増強の選択的制御を可能とするべく構成され、かつ配置された音声増強スイッチを更に含む、請求項２５に記載の通信用眼鏡。
【請求項３２】
送信用視覚信号を拾い上げるため、並びに前記送信用視覚信号を前記プロセッサに送信するべく構成され、かつ配置されたカメラを含み、かつ前記プロセッサは、前記送信用視覚信号を送信するべく構成され、配置されている、請求項２５に記載の通信用眼鏡。
【請求項３３】
前記プロセッサは、着信する視覚信号を受信するべく構成され、かつ配置され、さらに前記着信する視覚信号を着用者に表示するべく構成され、かつ配置された表示部を備える、請求項２５に記載の通信用眼鏡。
【発明の詳細な説明】
【技術分野】
【０００１】
本発明は、人間の眼を保護し、かつ手を使わない無線マルチメディア通信も可能にするために、人間の頭に着用しうるようにした通信用眼鏡に関する。この通信用眼鏡は、雑音の多い環境などでの通信を行いうるように、追加的な構造を備えている。特に、この組立品は、周りの雑音に伴う特有の困難に打ち勝つために、着信及び／又は送信音声信号を増強するようになっている。更に、この組立品は、着用者に向かって直接話してくる他者を、部品を外したり、調節したりすることなく、聞けるようにすることを可能にするように構成されている。
［従来技術］
【０００２】
眼鏡の使用、特に、サングラスや安全頑強などの保護眼鏡の使用は、現代社会では、ほとんど普遍的に行われている。ラジオ、電話、携帯情報端末、携帯音楽プレーヤーなどのさまざまなタイプの通信機器も、普遍的に使用されている。最近になって、工業、鉱業、建築、又は軍事的な環境などで働く人々などの、眼の保護と視聴覚的な伝達の両方を必要とする人の要求を充たすために、これらの装置のそれぞれの特定の特性を組み合わせる試みがなされている。しかしながら、この技術分野における特定の進歩にも関わらず、現在の技術は、多くの重要な問題を解決するには至っていない。
【発明の概要】
【発明が解決しようとする課題】
【０００３】
現在の機器における１つの問題は、スピーカー又はイヤーホンなどが、機器に物理的に接続されていることである。ある場合には、スピーカー又はイヤーホンから独立して、眼の保護部品の調節、又は位置決めをすることは困難であるか、まったく不可能であるため、快適性の面で、このことは極めて好ましくない。聴取機構が、音声伝達コードにより、機器に接続されているものもある。このようなコードは、一定限度の調節は可能であるが、それらは、引っかかったり、絡まったりする傾向もあり、従って損傷を受けやすい。
【０００４】
更に、ある場合には、無線イヤーホンを含む通信用眼鏡は好ましく見えるが、これは実用的ではない。例えば、１組の無線イヤーホンは、物理的に互いに連結されており、そのため、イヤーホンの独立した調節が阻害され、かつ上述したものと同様の快適性は得られず、また混乱の問題も発生する。更にまた、携帯電話などにおいて使用されているような、無線イヤーホンは、音声通信信号を直接受信及び送信するようになっており、高出力のトランシーバー及び他の嵩張る部品を必要とする。従って、さまざまな理由のために、このような従来技術は、通信用眼鏡に対しては適しない。従って、高出力のトランシーバー、及び他の嵩張る部品を使用せず、かつ互いに無線イヤーホンを含む通信用眼鏡を提供することには大きな利点があると思われる。
【０００５】
現在の眼鏡における別の問題は、周囲の騒音が効果的な通信を妨げるような、雑音の多い環境で使用する際の影響に対処する適切な手段を欠いていることである。例えば、騒音の多い環境で、通信装置の着用者に送られる着信音声信号又は音楽信号では、環境雑音により、そのヘッドホーンやイヤーホンなどにより生成される音が掻き消されるか、又は干渉される。従って、環境雑音に伴う困難性を克服するように構成された通信用眼鏡組立品を提供することは好ましいことである。
【０００６】
また、通信装置の着用者が、マイクロフォンで送話するときに、着用者の口が近接することが、通信される音声信号の質を決める主要因となる。しかしながら、騒音の多い環境においては、大量のバックグラウンドの雑音が拾い上げられるため、発話者の口を、どのようにマイクロフォンに近づけても、バックグラウンド雑音により、着用者の声は理解不能になる。従って、環境雑音に伴うこのような問題を克服するべく構成された通信用眼鏡組立品を提供することは、有意義である。
【０００７】
騒音の多い環境において、着用者の近くにいる他者が、別の通信機器の助けを借りずにユーザに直接話しかけるときには、更に別の問題が生じる。そのような場合には、着用者は、自分のヘッドホーン、イヤーホン、イヤプラグなどを、他者が話すのを聞き取るために外さなければならない。特に、ある種の方法により、眼の保護具に取り付けられている場合には、着用者は、この眼の保護具も外さなければならない。このことは、不便であるだけではなく、着用者の眼にとって危険であり、しかも眼が、時として有害な環境に晒されることになる。従って、人間の頭に着用するために、手を使わなくてよく、無線マルチメディア通信を可能にし、かつ着用者が話しかけてくる他者の声を聞くために、その器具を取り外したり、部品を調節したりする必要がないように構成された、通信用眼鏡を提供することは有益である。
【課題を解決するための手段】
【０００８】
本発明は、人間の眼を保護し、かつ手を使わない無線マルチメディア通信も可能にし、人間の頭に着用しうるように構成された通信用眼鏡を提供することを目的としている。
【０００９】
この通信用眼鏡は、雑音の多い環境などでの通信を促進するべく構成されている。特にこの眼鏡は、環境雑音に伴う特有の困難性に打ち勝つために、着信及び／又は送信音声信号を増強するように構成されている。
【００１０】
また、この眼鏡は、着用者に直接話しかけて来る他者の声を、部品を外したり、手により調節したりすることなく、聞けるようにするべく構成されている。
【００１１】
少なくとも１つの実施形態では、この通信用眼鏡は、人間の頭に着用しうるように構成されたフレームを備えている。従って、このフレームは、着用者の眼の正面の、遮蔽する位置に配置された、少なくとも１つの眼パネルを保持するように、構成されている。一実施形態では、このフレームは、正面フレーム部材、及びそれに連結された２つの眼パネルを備えている。別の実施形態では、このフレームは、効率的に保持し、着用者の眼の正面にフレーム部材を位置決めするように構成された１組の脚を備えている。
【００１２】
着用者の眼により感知される光の明るさを低減させることが望ましい場合には、この眼パネルには、薄い色を付けることができる。着用者の眼に到達する光の有害な波長の量を低減させることが望ましい場合には、この眼パネルには、ＵＶコーティングなどの紫外線保護を設けることができる。この眼パネルは、保護の目的、及び／又は視覚を増強する目的のために、偏光性を有することができる。この眼パネルは、度付の処方されたレンズを備えることができる。少なくとも１つの実施形態では、外来物体により眼パネルに大きな衝撃が加えられる場合の、追加的な保護のために、この眼パネルに飛散防止材を設けることができる。
【００１３】
前記通信用眼鏡は、フレームに連結されたプロセッサを更に含むことができる。このプロセッサは、典型的には、遠隔の場所から着信する音声信号を受信するべく構成され、かつ配置されている。ある実施形態では、この着信する音声信号は、着用者が通信している他者からなどのリアルタイムの音声データが含まれている。他の実施形態では、この着信する音声信号は、遠隔地に保存され、かつ送信された音楽ファイルからなどの音楽データを含んでいる。このプロセッサは、着用者から、着用者が通信している他者へのリアルタイム音声データの送信などの、送信用音声信号を、他者に送信するべく、更に構成され、かつ配置されている。
【００１４】
この通信用眼鏡は、プロセッサに電力を供給するべく構成され、かつ配置されている電源も含んでいる。この電源は、眼鏡の他の部品にも電力を供給するべく構成されている。この電源は、充電可能でもある。例えば、ある実施形態では、電源は、外部電源から充電可能で、かつ眼鏡に着脱可能に連結されたバッテリパックを含んでいる。
【００１５】
この通信用眼鏡は、前記プロセッサと無線通信するべく配置されるように構成され、かつ着用者の１つの耳に保持されるように構成された、少なくとも１つのイヤホーンを追加的に備えている。このようなものとして、このプロセッサは、受信した着信音声信号を、少なくとも１つのイヤホーンに再送信し、次いでこのイヤホーンは、着信する音声信号を着用者にスピーカーを介して通信するようになっている。更なる実施形態では、この通信用眼鏡は、２つのイヤホーンを備え、そのそれぞれは、着用者の２つの耳に保持しうるように構成されている。更に他の実施形態では、イヤホーンは、実質的に環境雑音を消し、通信を更に促進するべく構成されている。
【００１６】
更に他の実施形態では、保存のために、イヤホーンは、フレームに着脱可能に固定しうるようになっている。一実施形態では、各イヤホーンは、イヤホーンが使用されていないときには、イヤホーンを取り外しうるようにフレームに固定するためのクリップを備えている。イヤホーンを保存状態としたときに、充電可能なイヤホーン電源を充電するために、イヤホーン及びフレームは協動しうるようにすることもできる。
【００１７】
ある実施形態では、この通信用眼鏡は、音声信号に基づいて着信する信号を増強するべく、更に構成されている。一例では、この音声信号は、周囲の環境により発生されるバックグラウンド音を含んでいる。このようなものとして、環境マイクロフォンが、環境音声信号を拾い上げ、かつこの環境音声信号をプロセッサに送信するように配置され、かつ構成されている。一実施形態では、この環境マイクロフォンは、イヤホーンに連結されている。他の実施形態では、この環境マイクロフォンは、フレームに連結されている。従って、前記プロセッサは、環境音声信号に基づいて着信する音声信号を増強するべく、更に構成構成されている。例えば、一実施形態では、このプロセッサは、環境音声信号の音量に比較して、着信する音声信号の音量を調節するべく構成されている。
【００１８】
この通信用眼鏡は、着用者から送信用音声信号を拾い上げ、並びにプロセッサに送信用音声信号を送信するべく、配置され、かつ構成された送信用マイクロフォンを更に含んでいる。このプロセッサは、送信用マイクロフォンから受信した送信用音声信号を、他に送信するべく構成されている。またこのプロセッサは、環境音声信号に基づいて、送信用音声信号を増強するべく構成されている。少なくとも１つの実施形態では、このプロセッサは、環境音声信号に比較して、送信用音声信号を強化するように構成されている。より具体的には、このプロセッサは、送信用音声信号の環境雑音成分を低減させ、かつ環境音声信号の特性に基づいて、送信用音声信号の音声成分を強化するべく構成されている。
【００１９】
このプロセッサは、環境マイクロフォンにより拾い上げられ、かつプロセッサに送信された、環境音声信号の音声成分を同定するべく更に構成されている。例えば、このことは、他者が他の通信装置を用いることなく、着用者に直接話しかけるときに起き得る。そのようなものとして、このプロセッサは、同定された環境信号の音声成分を、少なくとも１つのイヤホーンに送信するべく更に構成されている。従って、着用者は、この通信用眼鏡を取り外したり、その部品を調節したりすることなく、他者の直接の口頭の会話を聞くことができる。更に別の実施形態では、着用者のイヤホーンの特定の１つに、会話を指向させるような、大きな騒音のある環境では、前記プロセッサは、同定された音声成分を対応するイヤホーンに送信するべく更に構成されている。
【００２０】
この通信用眼鏡は、視覚データ及び／又はビデオデータを含むことがある、送信用視覚信号を拾い上げるべく配置され、かつ構成されたカメラを追加的に含んでいる。このカメラは、着用者の頭に着用され、限定はされないが、着用者の背後に向く視覚を有し、かつ送信用視覚信号は、着用者の感覚により見られた光景を反映する。他の前述のマルチメディア成分とともに、このカメラは、プロセッサに送信用視覚信号を送信するべく更に構成されている。従って、このプロセッサは、カメラから受信された送信用視覚信号を、他に送信するべく構成されている。
【００２１】
このプロセッサは、遠隔の場所から着信する視覚信号を受信するべく構成されている。例えば、この着信する視覚信号は、遠隔地に保存されデータファイルにより転送された、写真や動画などの視覚データ、及び／又はビデオデータを含むことができる。そのようなものとして、この通信用眼鏡は、プロセッサにより受信された着信する視覚信号を表示するべく、配置され、及び構成された表示部材を更に含んでいる。より具体的には、この表示部材は、着用者に着信する視覚信号を表示するべく、配置され、かつ構成された少なくとも１つの表示ユニットを含んでいる。
【００２２】
本発明のこれらの、及び他の対象、特徴及び利点は、図面を参照して、以下の記述を読むことにより、より明瞭となると思う。
【図面の簡単な説明】
【００２３】
本発明のより完全な理解のためには、図面と関連づけて、以下の詳細な説明を参照されたい。
【図１】本発明による通信用眼鏡の一実施形態の透視図である。
【図２】本発明によるトランシーバーの模式的説明図である。
【図３】本発明の音声信号増強構成の一実施形態の模式的説明図である。
【図４】本発明によるイヤホーンの一実施形態の断面図である。
【図５】本発明による通信用眼鏡の別の実施形態の部分透視図である。
【図６】本発明によるイヤホーンの別の実施形態の断面図である。
【図７】本発明によるイヤホーンクリップの一実施形態の部分透視図である。
【図８】本発明のイヤホーンの充電接点の一実施形態の部分透視図である。
【図９】異なるタイプの表示ユニットを含む表示組立品を有する通信用眼鏡の部分透視図である。
【００２４】
各図面において、同じ符号は、同じ要素を示している。
【発明を実施するための形態】
【００２５】
添付の図において、本発明の通信用眼鏡は、１０で示してある。
【００２６】
この通信用眼鏡１０は、人間の目を保護し、及び手を用いない無線マルチメディア通信を可能とするべく、人間の頭に着用しうるように構成されている。この通信用眼鏡１０は、騒音の多い工業的環境や、又は限定はされないが、軍事的作戦、消火及び救出作業、治安作戦、スポーツ活動などの、さまざまな騒音の多い環境などにおける通信を促進するために、追加的に構成されている。この眼鏡１０は、このような環境雑音に伴う特有の困難性を克服するために、着信及び／又は送信用の音声信号を増強するべく構成されている。更に、この眼鏡１０は、着用者に直接話しかける他者の声を、着用者が取り外すか、部品を調節することなく、直接聴取することを可能にするべく構成されている。
【００２７】
図１に示すように、この通信用眼鏡１０は、人間の頭に着用しうるように構成されたフレーム２０を備えている。このフレーム２０は、着用者の眼の正面の遮蔽位置に来るようになっている少なくとも１つのレンズ２５を保持し、かつ着用者に装着しうるように構成されている。
【００２８】
図１の実施形態では、フレーム２０は、正面枠部材２１、及びそれに保持された２つのレンズ２５を備えている。この実施形態では、各レンズ２５は、対応する着用者のそれぞれの眼の正面を実質的に遮蔽する一方、それらのレンズ２５を通して明瞭な視界を得るようになっている。
【００２９】
着用者の眼により感知される光の明るさが低減されることが望ましい場合には、これらのレンズ２５に薄い色を付けることができる。着用者の眼に到達する光の有害な波長の量を低減させることが望ましい場合には、これらのレンズ２５を、ＵＶコーティングなどの紫外線保護を有するものとすることができる。これらのレンズ２５を、保護の目的及び／又は視覚を増強する目的のために偏光化することができる。これらのレンズ２５は、度付のものとすることもできる。少なくとも１つの実施形態では、外来物体によりレンズに大きな衝撃が加えられる場合の保護のために、レンズ２５を、飛散防止材料も含むものとすることができる。
【００３０】
フレーム２０は、正面枠２１を着用者の眼の正面に保持し、かつ位置決めするようになっている少なくとも１つの脚片２３、２４を備えている。図１の実施形態では、このフレーム２０は、第１の脚片２３及び第２の脚片２４を有し、各脚片２３、２４は正面枠部材２１の外側面から、その後方に向かって延びている。これらの脚片２３、２４は、正面枠部材２１が着用者の眼の正面に来たときに展開し、かつ着用者の耳に係止するために、正面枠部材２１から概ね直交する。
【００３１】
少なくとも１つの実施形態では、このフレーム２０は、更に１組の側面パネル２７を備えている。各側面パネル２７は、着用者のそれぞれの眼を実質的に遮蔽するべく配置され、かつ構成されている。更に、これらの側面パネル２７は、それを通した明瞭な周辺視野を得るべく構成することができる。図１に示すように、少なくとも１つの実施形態では、各側面パネル２７は、異なる脚片２３、２４に連結されている。レンズ２５とともに、これらの側面パネル２７には薄い色のＵＶコーティング、及び／又は偏光化をすることができる。側面パネル２７は、飛散防止材料を含むことができる。
【００３２】
本発明の通信態様に移るが、この通信用眼鏡１０は、着用者、及び限定はされないが、他の着用者、コントロールステーション、放送局などの、他の存在との間の無線通信を行いうるようになっている。例として、この無線通信は、コントロールステーションにいるマネージャと通信するべく、工場のフロアに配置された着用者を挙げることができる。他の例として、この無線通信は、放送局から放送される音楽を聴いている着用者を挙げることができる。もちろん、本発明は、他のさまざまな状況に適用しうるもので、上記の例は、説明目的のみのものである。
【００３３】
従って、この通信用眼鏡１０は、前記フレーム２０に連結されているプロセッサ４０を含んでいる。このプロセッサ４０は、典型的には、遠隔の場所からの着信する音声信号を受信するべく、構成され、かつ配置されている。例えば、一実施形態では、この着信する音声信号は、着用者が通信している他者からなどのリアルタイム音声データを含んでいる。他の実施形態では、この着信する音声信号は、遠隔地に保存され、音楽ファイルにより送信されるような音楽データを含んでいる。このプロセッサ４０は、着用者からのリアルタイム音声データなどの送信用音声信号を、着用者が通信している他者などの他の存在に送信するために、構造化され、かつ配置されている。着信及び送信用視覚信号に関するものを含む、プロセッサ４０のマルチメディア通信能力に関する更なる詳細については、次により詳細に説明する。
【００３４】
少なくとも１つの実施形態では、このプロセッサ４０は、フレーム２０の内部に収まるように構成され、かつ配置されている。図１の実施形態では、プロセッサ４０は、第１の脚片２３の内側に配置されている。しかしながら、プロセッサ４０は、限定はされないが、第２の脚片２４、正面枠部材２１などの、フレーム２０の他の部分の内側に収まるように構成し、かつ及び配置することは、本発明の範囲及び意図に包含されることに留意されたい。
【００３５】
この通信用眼鏡１０は、プロセッサ４０に電力を供給するべく構成され、かつ配置されている電源９０を備えている。この電源９０は、通信用眼鏡１０の他の部品にも電力を供給するようにすることができる。少なくとも１つの実施形態では、この電源９０は、フレーム２０の内側に収まるように構成され、かつ配置されている。例えば、図１の実施形態では、主電源９０は、第２の脚片２４の内側に配置可能である。しかしながら、限定はされないが、第１の脚片２３、正面枠部材２１などの、フレーム２０の他の部分の内側に、主電源９０が収まるように構成し、かつ配置することは、本発明の範囲及び意図に包含されることに留意されたい。この主電源９０は、充電可能のものとすることもできる。例えば、ある実施形態では、主電源９０は、外部電源により充電することができ、かつ取り外し可能に通信用眼鏡１０に連結された充電可能なバッテリパックを含んでいる。
【００３６】
この通信用眼鏡１０は、前記プロセッサ４０と無線通信するように配置され、かつ構成され、また着用者の１つの耳に配置されるようになっている、少なくとも１つのイヤホーン６０を含んでいる。そのようなものとして、前記プロセッサ４０は、受信した音声信号を、少なくとも１つのイヤホーン６０に再送信し、次いでイヤホーン６０は、この着信した音声信号を、着用者に送信する。図１の実施形態では、通信用眼鏡１０は、イヤホーン６０を含み、各イヤホーンは、着用者の異なる耳にそれぞれ配置されるようになっている。更に、図１の実施形態では、これらのイヤホーン６０は、稼動配向に配置されたときに、着用者の耳に、少なくとも一部を挿入しうるように構成されている。
【００３７】
遠隔の接続性と同様に、部品間の接続性に関しては、プロセッサ４０は、無線通信を促進するべく構成された少なくとも１つのトランシーバーを含んでいる。例えば、図２の実施形態では、プロセッサ４０は、第１のトランシーバー４２及び第２のトランシーバー４４を含んでいる。第１のトランシーバー４２は、遠隔のソースの音声及び／又は視覚信号を受信するようになっており、かつ音声及び／又は視覚信号を、遠隔の目的地に送信するべく構成されている。少なくとも１つの実施形態では、第１のトランシーバーは、ラジオ周波数通信を利用している。しかしながら、他の適切な無線技術も用いることができ、このことは、本発明の範囲及び意図に包含されるものである。この送信用音声信号は、通常は、図１に示され、その詳細を以下に述べるような、送信用マイクロフォン７０により拾い上げられた着用者の声に対応している。同様に、この送信用視覚信号は、その詳細を以下で述べるカメラ１０３により捕捉された画像に、通常は対応する。
【００３８】
第２のトランシーバー４４は、無線的にイヤホーン６０と通信するようになっている。ある実施形態では、第２のトランシーバーは、ラジオ周波数通信技術を利用している。他の実施形態では、第２のトランシーバーは、磁気誘導通信技術を利用している。しかしながら、他の適切な無線技術も用いることは、本発明の範囲及び意図に包含されるものである。別の実施形態では、プロセッサ４０は、イヤホーン６０と同様に、遠隔地と通信するようになっている単一のトランシーバーを備えている。
【００３９】
さらに各イヤホーン６０は、プロセッサ４０との通信を促進するようになっているイヤホーントランシーバー６４を含んでいる。例えば、図２の実施形態では、イヤホーン・トランシーバー６４は、それぞれ第２のトランシーバー４４と無線接続されている。この実施形態では、イヤホーントランシーバー６４の具体的な通信技術は第２のトランシーバー４４の、限定はされないが、ラジオ周波数技術、磁気誘導技術、などのものと一致している。更なる実施形態では、それぞれのイヤホーントランシーバー６４は、プロセッサ４０により固有的に同定される。例えば、このような実施形態では、それぞれのイヤホーントランシーバー６４は、ラジオや磁気による同定などのプロセッサ４０により認識され得る固有の特性を含んでいる。従って、プロセッサ４０は、それぞれのイヤホーントランシーバー６４に、異なるコンテンツを送信できる。例えば、一実施形態では、プロセッサ４０は、着信する音声信号の第１のステレオ音楽チャンネル成分を同定されたイヤホーントランシーバー６４の１つに送信でき、かつ着信する音声信号の第２のステレオ音楽チャンネル成分を同定されたイヤホーントランシーバー６４の他のものに送信できる。
【００４０】
図３〜図６に示す実施形態では、通信用眼鏡１０は、環境音声信号に基づき着信する音声信号を増強するべく更に構成されている。例としては、環境音声信号は、取り巻く環境により発生されたバックグラウンド音を含んでいる。そのようなものとして、環境マイクロフォン組立品７５は、環境音声信号を拾い上げ、かつ環境音声信号をプロセッサ４０に送信するべく配置され、かつ構成されている。少なくとも１つの実施形態では、環境マイクロフォン組立品７５は、イヤホーン６０に連結されている。例えば、図４の実施形態では、環境マイクロフォン組立品７５は、環境音声信号を拾い上げ、かつ環境音声信号をプロセッサ４０に送信するべく配置され、かつ構成されたイヤホーンマイクロフォン組立品６６を含んでいる。他の例としては、環境マイクロフォン組立品７５は、詳細を図５に示すような、１つ以上のフレームマイクロフォン組立品７６を含むことができる。
【００４１】
従って、プロセッサ４０は、環境音声信号に基づいて着信する音声信号を増強し、かつ増強された着信する音声信号イヤホーン６０に送信するべく更に構成されている。例えば、図３の実施形態では、プロセッサ４０は、環境音声信号の音量に比較して着信する音声信号の音量を調節する音量調節回路４５を備えている。更なる実施形態では、それぞれが着用者の耳の異なる１つに配置される２つのイヤホーン６０を有し、プロセッサ４０は、それぞれのイヤホーンに送信される音声信号の音量を、着用者のそれぞれの側面から拾い上げられる環境音声信号の音量に比較して、独立して調節するべく構成されている。
【００４２】
図４の実施形態においては、イヤホーン６０は、増強されて着信する音声信号を、着用者に音声的に通信するべく、更に構成され、かつ配置されているスピーカー組立品６８を更に含んでいる。この実施形態では、スピーカー組立品６８は、稼動的な向きに配置されたときに、着用者の耳に、少なくとも部分的に挿入しうるように構成されている。
【００４３】
イヤホーン６０は、実質的に環境雑音を消し、更に通信を促進するべく、追加的に構成されている。図４の実施形態におけるように、実質的に環境雑音を消音するために、イヤホーン６０の少なくとも一部分は、着用者の耳に挿入しうるようになっている。より具体的には、図４のイヤホーン６０は、実質的に環境雑音を消音するべく構成されている使い捨て挿入物６２を含んでいる。使い捨て挿入物６２は、例えば、高密度発泡体などの防音性圧縮性材料で形成されることができるが、他のさまざまな適切な材料も利用できる。少なくとも衛生的な目的のために、使い捨て挿入物６２は、使用後に廃棄され交換される。
【００４４】
更に図４に示されているものは、イヤホーントランシーバー６４であり、スピーカ組立品６８、及びイヤホーンマイクロフォン組立品６６の両方と通信的に接続されている。イヤホーントランシーバー６４は、イヤホーン組立品６６、６８、及びプロセッサ４０の間の通信を促進するべく構成されている。
【００４５】
イヤホーン６０は、スピーカー組立品６８及びイヤホーンマイクロフォン組立品６６、及びイヤホーントランシーバー６４に電力を供給するべく構成され、かつ配置されているイヤホーン電源９２を更に含んでいる。少なくとも１つの実施形態では、イヤホーン電源９２は充電可能である。
【００４６】
図１を再度参照すると、通信用眼鏡１０は、着用者から送信用音声信号を拾い上げ、かつ送信用音声信号をプロセッサ４０に送信するべく配置され、かつ構成された送信用マイクロフォン７０を更に含んでいる。例えば、図１の実施形態では、送信用マイクロフォン７０は、フレーム２０の第１の脚片２３から延伸する調節可能な細長い部分７１を含んでいる。調節可能な細長い部分７１は、少なくともある実施形態では、着用者の話し声のリアルタイム音声データを含む、送信用音声信号をよりよく拾い上げるために、着用者の口の正面のマイクロフォン組立品７０の調節を可能にするべく構成されている。この実施形態では、送信用マイクロフォン７０は、プロセッサ４０との有線通信接続されている。しかしながら、他の実施形態では、送信用マイクロフォン７０は、第２のトランシーバー４４などのプロセッサ４０と無線通信接続することができる。
【００４７】
上記したように、プロセッサ４０は、送信用マイクロフォン７０で受信された送信用音声信号を、他に送信するようになっている。更に、プロセッサ４０は、環境音声信号に基づいて送信用音声信号を増強するべく追加的に構成され、かつ増強された送信用音声信号を、他に送信するべく、さらに構成され、かつ配置されている。例えば、送信用信号は、環境信号と同じ環境において生成されるために、送信用音声信号それ自身が、着用者の声に加えて、特定の環境雑音を含むことができる。このようなものとして、少なくとも１つの実施形態では、プロセッサ４０は、環境音声信号に比較して、送信用音声信号を強化するべく構成されている。より具体的には、図３の実施形態で示すように、プロセッサ４０は、環境音声信号の特性に基づいて、送信用音声信号の環境雑音成分を低減させ、かつ送信用音声信号の音声成分を強化するべく構成された信号強化回路４７を含んでいる。２つのイヤホーン６０のそれぞれが、着用者の異なる耳に配置される、更なる実施形態では、プロセッサ４０は、着用者のそれぞれの側面から拾い上げられた環境音声信号に基づいて、送信用音声信号を増強するように、追加的に構成されている。
【００４８】
通信用眼鏡１０の特定の追加的な稼働能力について述べると、少なくとも１つの実施形態では、プロセッサ４０は、環境マイクロフォン組立品７５により拾い上げられ、プロセッサ４０に送信された環境音声信号の音声成分を同定するように、更に構成されている。このことは、例えば、他者が他の通信装置を用いることなく、着用者に直接話しかけるときに起こり得る。例えば、図３の実施形態では、プロセッサ４０は、環境音声信号の音声成分を同定するべく構成された音声同定回路４６を含んでいる。そのようなものとして、環境音声信号の音声成分を、スピーカー組立品６８を介して、着用者に音声的に通信するために、プロセッサ４０は、環境信号の同定された音声成分を、少なくとも１つのイヤホーン６０に送信するべく更に構成されている。従って、着用者は、まず通信用眼鏡１０を取り外したり、さもなければ、その部品を調節することなく、他者の直接の音声の通信を聞き取れる。更なる実施形態では、他者が着用者のイヤホーン６０の特定の１つに、会話を指向させるような、大きな騒音のある環境では、前記プロセッサ４０は、同定された音声成分を対応するイヤホーン６０に送信するべく更に構成されている。
【００４９】
プロセッサ４０は、環境音声信号の音声成分を同定すると、少なくとも１つのタイプの音声信号の増強を一時停止するために構成ことができる。例えば、一実施形態では、環境音声信号の音声成分が同定されたときに、プロセッサ４０が増強された着信する音声信号を、イヤホーン６０に送信する代りに、環境信号の音声成分を、イヤホーン６０に送信できるようにするために、プロセッサ４０は、着信する音声信号の増強を一時停止するべく構成されている。
【００５０】
更に他の実施形態では、プロセッサ４０は、増強が一時停止された後に、少なくとも１つのタイプの音声信号の増強を再開するべく構成されている。例えば、一実施形態では、プロセッサ４０は、環境音声信号の音声成分が消失すると着信する音声信号の増強を再開するべく構成されている。このことは、例えば、他者が会話を停止し、従って環境音声信号の音声成分の消失を引き起こしたときに起き得る。他の実施形態では、プロセッサ４０は、所定の時間が経過した後に、着信する音声信号の増強を再開するべく構成されている。その一例として、所定の時間は、５秒間とすることができるが、さまざまな他の適切な時間も利用できることは、本発明の範囲及び趣旨に包含される。未だ他の実施形態では、プロセッサ４０は、着用者の声などの送信用音声信号を受信すると、着信する音声信号の増強を再開するように構成されている。更に他の実施形態では、プロセッサ４０は、次に議論されるが関与した際に着信する音声信号の増強を再開するべく構成されている。
【００５１】
図１を再びすると、通信用眼鏡１０は、音声増強スイッチ８０を更に含んでいる。音声増強スイッチ８は、プロセッサ４０により行われる、少なくとも１つのタイプの音声信号の増強の選択的な制御を可能とするべく構成され、かつ配置されている。より具体的には、音声増強スイッチ８０は、プロセッサ４０と接続され、かつプロセッサ４０により行われる音声増強を、一時停止、及び／又は再開するべく構成されている。一実施形態では、音声増強スイッチ８０は、着信する音声信号の増強を制御するべく構成されている。他の実施形態では、音声増強スイッチ８０は、送信用音声信号の増強を制御するべく構成されている。
【００５２】
音声増強スイッチ８０は、フレーム２０上、又は少なくとも１つのイヤホーン６０の上などの、さまざまな適切な位置に配置することができる。図１の実施形態では、音声増強スイッチ８０は、第１の脚片２３上に配置されている。さらに、図１に示す音声増強スイッチ８０は、着用者がそれに触れることにより、閉じるか、及び／又は開放することができるタッチセンサー式のものである。しかしながら、音声増強スイッチ８０として、限定はされないが、トグル、プッシュボタン、ロッカーなどを含む他の構成を利用できることは、本発明の趣旨及び意図の中に含まれる。
【００５３】
図５に転ずると、環境マイクロフォン組立品７５は、フレーム２０に連結されている、通信用眼鏡１０の他の実施形態が示されている。具体的には、図５の実施形態では、環境マイクロフォン組立品７５は、正面枠部材２１の異なった側面に、それぞれが配置されている、２つのフレームマイクロフォン組立品７６を含んでいる。上記したイヤホーンマイクロフォン組立品６６とともに、フレームマイクロフォン組立品７６は、環境音声信号を拾い上げ、その環境音声信号をプロセッサ４０に送信するべく配置され、かつ構成されている。更に、図５の実施形態では、フレームマイクロフォン組立品７６相互を分離する約１０ｃｍの距離、好適には、約１０〜１３ｃｍの距離が、それぞれの個別のフレームマイクロフォン組立品７６により拾い上げられた音声信号の中の変動に基づいて、プロセッサ４０により、異種の音源を幾何学的に分別化するための、十分な分離を行う。この実施形態では、フレームマイクロフォン組立品７６は、有線的にプロセッサ４０に接続されている。しかしながら、他の実施形態では、フレームマイクロフォン組立品７６を、第２のトランシーバー４４などのプロセッサ４０と、無線的に接続することができる。他の実施形態では、環境マイクロフォン組立品７５は、例えば、単に１つだけのフレームマイクロフォン組立品７６などを含む、他の数のフレームマイクロフォン組立品７６を含むこともある。更に、他の実施形態では、フレームマイクロフォン組立品７６は、脚片２３、２４や、他の場所などの、他の適切な場所にも配置できる。
【００５４】
更に、及び図６に示すように、図５の実施形態で利用されているイヤホーン６０は、フレームマイクロフォン組立品７６が、実質的にイヤホーンマイクロフォン組立品６６と同様の機能を遂行するべく構成されているために、イヤホーンマイクロフォン組立品６６を含む必要はない。しかしながら、他の実施形態では、環境マイクロフォン組立品７５は、フレームマイクロフォン組立品７６、及びイヤホーンマイクロフォン組立品６６の任意の組み合わせを含むことができる。
【００５５】
図４、図６、図７、及び図８を参照すると、少なくとも１つの実施形態では、イヤホーン６０は、フレーム２０に取り外し可能に固定しうるようになっている。図７に示すように、各イヤホーン６０は、イヤホーン６０、６０が使用されないときに、イヤホーン６０をフレーム２０に取り外し可能に取付けうるようになっているクリップ６９を備えている。図７の実施形態では、２つのイヤホーン６０は、第１の脚片２３に取り外し可能に固定されている。しかしながら、イヤホーン６０を、別の脚片２４や、フレーム２０の正面枠部材２１などの、フレームにおける他の部分に、取り外し可能に固定することは、本発明の範囲及び意図に含まれる。
【００５６】
別の実施形態では、イヤホーン６０及びフレーム２０は、イヤホーン６０を保存状態としたときに、イヤホーン電源９２を充電しうるように構成されている。このような実施形態の少なくとも１つでは、１つ以上の充電用接点２８は、フレーム２０に配置され、かつイヤホーン電源９２の充電を好ましく行いうるように構成されている。例えば、図８に示す実施形態では、第１の脚片２３に２つの充電用接点２８が設けられ、イヤホーン６０を図７に示す保持位置としたときに、充電用接点２８と各イヤホーン６０とが接触して、イヤホーン電源９２の充電を促進しうるようになっている。このような実施形態では、イヤホーン電源９２は、通信用眼鏡１０の主電源９０により充電される。他の実施形態では、イヤホーン電源９２は、通信用眼鏡１０に取り外し可能に接続された外部電源によっても充電できるようにされる。
【００５７】
視覚的通信を含む本発明の追加的な態様に転ずるが、この通信用眼鏡１０は、視覚データ及び／又はビデオデータを含むことのある送信用視覚信号を拾い上げるように配置され、かつ構成されたカメラ１０５を更に含んでいる。図１を再び参照すると、この実施形態では、カメラ１０５は、正面枠部材２１の中心部に配置され、かつ着用者から知覚しうる視野に対向する単一のカメラ１０５を備えている。しかし、カメラ１０５を複数とすること、別のカメラを、正面枠部材２１の一部や、脚片２３、２４等を含む、通信用眼鏡１０のさまざまな他の適切な部分に配置することは、本発明の範囲及び意図に含まれるところである。この通信用眼鏡１０は、着用者の頭に着用されるために、送信される視覚信号は、典型的には着用者の知覚により得られる視野を反映するが、着用者の背後における視野などを含む視野を捕捉することもできる。更に、カメラ１０５は、可視スペクトル領域にある視覚信号を拾い上げる。しかしながら、更なる実施形態では、カメラ１０５は、赤外線スペクトルなどの、他のスペクトル領域にある視覚信号を拾い上げることができるものとされる。
【００５８】
上述したマルチメディア成分として、このカメラ１０５は、送信用視覚信号をプロセッサ４０に送信するようにされている。従って、プロセッサ４０は、カメラ１０５により受信された送信用視覚信号を、他の要素に送信しうるようになっている。
【００５９】
プロセッサ４０は、遠隔の場所からの視覚信号を受信するように構成されている。例えば、この着信する視覚信号には、写真又は映画などの遠隔地に保存されて、データファイルにより送信される視覚データ及び／又はビデオデータが含まれる。そのようなものとして、通信用眼鏡１０は、プロセッサ４０により受信された視覚信号を表示するべく、配置され、かつ構成されたディスプレイ２６を更に備えている。より具体的には、ディスプレイ２６は、着信する視覚信号を着用者に表示するように配置され、かつ構成された少なくとも１つの表示ユニットを備えている。例えば、図１の実施形態においては、ディスプレイ２６は、１つのレンズ２５の外面に少なくとも一部が配置されている。ディスプレイ２６は、受信された視覚信号の画像を、着用者の眼に向かって投射するように構成されている。他の実施形態では、ディスプレイ２６は、着用者の眼が、表示された視覚信号を、レンズ２５の中、及び／又は外面から放射されたものとして知覚できるように、着信した視覚信号の画像を投射するようになっている。図１の実施形態は、表示ユニット２６が眼パネル２５の外表面に配置されていることを図示しているが、表示ユニット２６は、代替的に眼パネル２５の内表面、又は眼パネル２５内部に配置することができる。
【００６０】
更なる実施形態では、各レンズ２５に対応する少なくとも１つのディスプレイ２６を備えている。例えば、図９の実施形態は、それぞれがレンズ２５、２５’に設けられたディスプレイ２６’、２６’’を示している。図示のように、第１のディスプレイ２６’は、レンズ２５の内面に設けられ、レンズ２５により決められる視野領域内に着信した視覚信号を表示するようになっている。第２の表示ユニット２６’’は、他のレンズ２５’に設けられ、かつレンズ２５’により定められる視野の実質的に全領域内に着信した視覚信号を表示するようになっている。
【００６１】
ディスプレイ２６に関しては、さまざまな適切な材料及び構造とすることができる。例えば、ディスプレイ２６を、液晶表示（ＬＣＤ）技術、有機発光ダイオード（ＯＬＥＤ）表示技術などのフラットパネル表示技術を用いたものとすることができる。更に、ディスプレイ２６を、レンズ２５の輪郭と、少なくとも部分的に対応させるようにすることができる。
【００６２】
ディスプレイ２６は、プロセッサ４０から視覚信号を受信するまでは、実質的に透明な状態を維持するように追加的に構成することもできる。このようにすると、受信に応じて、ディスプレイ２６は、視覚信号に従って表示を行う。一実施形態では、着信する視覚信号の表示は、プロセッサ４０から表示ユニット２６が受け取る電気的な入力により開始される。
【００６３】
詳細における多くの修正、変形及び変化が、記載された発明の好適な実施形態に対して行われ得るが、前述した記載、及び付随する図面において示された全ての内容は、説明的なものと解釈されるべきであり、限定的な意味のものではない。従って、本発明の範囲は添付された特許請求の範囲及びその法的な等価物により決定されるべきである。
【符号の説明】
【００６４】
１０  通信用眼鏡
２０  フレーム
２１  正面枠部材
２３、２４  脚片
２５、２５’  レンズ
２６、２６’、２６’’  ディスプレイ
２７  側面パネル
２８  充電用接点
４０  プロセッサ
４２  第１のトランシーバー
４４  第２のトランシーバー
４５  音量調節回路
４６  音声固定回路
４７  信号強化回路
６０  イヤホーン
６２  使い捨て挿入物
６４  イヤホーントランシーバー
６６  イヤホーンマイクロフォン組立品
６８  スピーカ組立品
６９  クリップ
７０  マイクロフォン
７１  細長い部分
７５  環境マイクロフォン組立品
７６  フレームマイクロフォン組立品
８０  音声増強スイッチ
９０  主電源
９２  イヤホーン電源
１０５  カメラ
【図１】
2013522953.tif 000003
【図２】
2013522953.tif 000004
【図３】
2013522953.tif 000005
【図４】
2013522953.tif 000006
【図５】
2013522953.tif 000007
【図６】
2013522953.tif 000008
【図７】
2013522953.tif 000009
【図８】
2013522953.tif 000010
【図９】
2013522953.tif 000011
【国際調査報告】
2013522953.tif 000012